(57)【特許請求の範囲】
【請求項１】
光を生成するためのデバイスであって、前記デバイスが、
前記デバイスに給電するよう構成されている給電信号を安定器を介して受信するための入力部と、
前記光を生成するための照明回路を駆動するためのドライバと、
少なくとも前記安定器のタイプを定義するよう構成されている定義信号を受信するための第１受信機と、
前記定義信号の受信に応じて、前記デバイスの報告機能であって、情報信号を供給する報告機能を含む前記デバイスの機能を適応させるためのコントローラとを有し、前記デバイスが、
装置に前記情報信号を送信するための送信機を更に有するデバイス。
【請求項２】
前記デバイスの前記機能の適応が、前記情報信号の適応を含み、適応された前記情報信号が、前記デバイスの消費電力量及び前記安定器の消費電力量を、互いから切り離して定義する、又は前記消費電力量の合計を定義する請求項１に記載のデバイス。
【請求項３】
前記デバイスが、安定器のタイプごとに少なくとも１つの安定器の電力消費データを記憶するためのメモリを更に有する請求項２に記載のデバイス。
【請求項４】
前記定義信号が、前記安定器の電力消費データを更に含み、前記デバイスが、前記安定器の前記電力消費データを記憶するためのメモリを更に有する請求項２に記載のデバイス。
【請求項５】
前記デバイスが、前記照明回路の減光レベルを定義するよう構成されている減光信号を受信するための第２受信機を更に有し、前記コントローラが、前記減光信号の受信に応じて、減光目的のために前記照明回路の駆動を調節するよう構成されている請求項２に記載のデバイス。
【請求項６】
前記デバイスが、安定器のタイプごと及び減光レベルごとに少なくとも１つの安定器の電力消費データを記憶するためのメモリを更に有する請求項５に記載のデバイス。
【請求項７】
前記定義信号が、減光レベルごとの前記安定器の電力消費データを更に含み、前記デバイスが、減光レベルごとの前記安定器の前記電力消費データを記憶するためのメモリを更に有する請求項５に記載のデバイス。
【請求項８】
前記デバイスの前記機能が、前記デバイスの駆動機能を更に含み、前記デバイスの前記機能の適応が、前記照明回路を前記安定器の要件データに従って駆動することに対応する請求項１に記載のデバイス。
【請求項９】
前記デバイスが、安定器のタイプごとに少なくとも１つの安定器の前記要件データを記憶するためのメモリを更に有する請求項８に記載のデバイス。
【請求項１０】
前記定義信号が、前記安定器の前記要件データを更に含み、前記デバイスが、前記安定器の前記要件データを記憶するためのメモリを更に有する請求項８に記載のデバイス。
【請求項１１】
前記デバイスが、前記照明回路の減光レベルを定義するよう構成されている減光信号を受信するための第２受信機を更に有し、前記コントローラが、前記減光信号の受信に応じて、減光目的のために前記照明回路の駆動を調節するよう構成されている請求項８に記載のデバイス。
【請求項１２】
前記照明回路を前記安定器の前記要件データに従って駆動することが、第１減光レベルを禁止すること及び第２減光レベルを許可することを含む請求項１１に記載のデバイス。
【請求項１３】
前記デバイスが、前記照明回路を更に有する請求項１に記載のデバイス。
【請求項１４】
光を生成するためのデバイスを動作させる方法であって、前記デバイスが、
前記デバイスに給電するよう構成されている給電信号を安定器を介して受信するための入力部と、
前記光を生成するための照明回路を駆動するためのドライバとを有し、前記方法が、
少なくとも前記安定器のタイプを定義するよう構成されている定義信号を受信するステップと、
前記定義信号の受信に応じて、前記デバイスの機能であって、情報信号を供給するための報告機能を含む機能を適応させるステップと、
装置に前記情報信号を送信するステップとを有する方法。
【発明の詳細な説明】
【技術分野】
【０００１】
本発明は、光を生成するためのデバイスに関する。本発明は、更に、方法に関する。このようなデバイスの例は、蛍光灯との組み合わせにおいて用いられるよう設計されている安定器を維持しながら、前記蛍光灯に取って代わるためのレトロフィットチューブである。
【背景技術】
【０００２】
US 2002 / 0060526 A1は、蛍光灯に取って代わるための発光ダイオードを有するライトチューブを開示している。
【０００３】
蛍光灯のために設計されている古い安定器を維持しながら古い蛍光灯を新しい非蛍光灯に置き換える場合、古い安定器は、明らかに、新しい非蛍光灯との組み合わせにおいて用いられるよう設計されてはいない。
【０００４】
US 2012 / 0229040 A1は、ＬＥＤをベースにしたランプと蛍光灯器具の結合を容易にするための方法及び装置を開示している。
【０００５】
US 2012 / 0043909 A1は、ＬＥＤ照明器具電源を開示している。
【発明の概要】
【発明が解決しようとする課題】
【０００６】
本発明の目的は、改善されたデバイスを提供することである。本発明の他の目的は、改善された方法を提供することである。
【課題を解決するための手段】
【０００７】
第１の態様によれば、光を生成するためのデバイスが提供され、前記デバイスは、
−  前記デバイスに給電するよう構成されている給電信号を安定器を介して受信するための入力部と、
−  前記光を生成するための照明回路を駆動するためのドライバと、
−  少なくとも前記安定器の特徴を定義するよう構成されている定義信号を受信するための第１受信機と、
−  前記定義信号の受信に応じて、前記デバイスの報告機能を含む前記デバイスの機能を適応させるためのコントローラとを有し、前記デバイスは、
−  装置に情報信号を送信するための送信機を更に有する。
【０００８】
光を生成するためのデバイスの入力部は、給電信号を安定器を介して受信する。前記給電信号は、前記デバイスに給電する。前記デバイス内のドライバは、前記光を生成する照明回路を駆動する。前記照明回路は、例えば、非蛍光灯回路を有する。蛍光灯回路との組み合わせにおいて用いられるよう設計されている前記安定器は維持される。
【０００９】
前記デバイス内の第１受信機は、前記安定器（の特徴）を定義する定義信号を受信する。前記定義信号は、通常、例えば無線周波数信号又は赤外線信号などの無線信号であるが、他の種類の無線信号を除外しておらず、電気又は光伝導体を介して届く種類の有線信号を除外してはいない。前記給電信号と前記定義信号とは、互いに異なる。前記デバイス内のコントローラは、前記第１受信機を介して前記定義信号の受信を知らされ、前記定義信号の受信に応じて、前記デバイスの機能を適応させる。
【００１０】
前記デバイスに、このデバイスとの組み合わせにおいて用いられるよう設計されてはいない前記安定器（の特徴）を知らせていることによって、前記デバイスの機能は、例えば、前記デバイスの使用を改善するよう、及び／又は前記安定器の使用を改善するよう、及び／又は前記安定器と前記デバイスとの組み合わせの使用を改善するよう、及び／又は前記安定器と前記デバイスとの間の協働を改善するよう、適応されることができる。これは、大きな技術的利点である。
【００１１】
安定器は、受動的な磁気安定器若しくは能動的な電子安定器、又は任意の他の種類の変換器であり得る。
【００１２】
前記デバイスの前記機能は、前記デバイスの報告機能を有してもよく、それによって、情報信号が装置に送信される。従って、この場合には、前記デバイスの前記報告機能は、前記デバイスから装置への情報信号の送信を有する。前記デバイス内の送信機は、前記情報信号を前記装置に送信する。前記情報信号は、例えば無線周波数信号又は赤外線信号などの形態で無線送信され得るが、他の種類の無線送信を除外しておらず、電気又は光伝導体を介する種類の有線送信を除外してはいない。
【００１３】
前記デバイスの実施例は、前記デバイスの前記機能の適応が、前記情報信号の適応を含み、適応された前記情報信号が、前記デバイスの消費電力量及び前記安定器の消費電力量を、互いから切り離して定義する、又は前記消費電力量の合計を定義することによって規定される。
【００１４】
前記デバイスは、前記デバイス自身の消費電力量を知っている。前記デバイスに前記安定器（の特徴）を知らせていることによって、前記デバイスは、前記安定器の消費電力量を調べ、且つ／又は計算し、前記デバイスの前記消費電力量を定義すると共に、前記安定器の前記消費電力量を定義する前記情報信号を前記装置に送信することができる。結果として、前記装置は、総消費電力量のより正確な概況を得ることができる。
【００１５】
例えばビルにおいては、数百以上のデバイスが、それらの消費電力量を管理システムなどの装置に報告する。このような環境においては、総消費電力量の正確な概況を得ることはますます重要になる。これらの管理システムは、時として、デバイスがいつオン又はオフに切り替えられているかを知らない。しかし、前記デバイスは、常に、前記デバイスがいつオン又はオフに切り替えられているかを知っており、前記デバイス自体によって消費される電力量及び前記安定器によって消費される電力量について前記装置に知らせることができる。前記デバイスから前記装置に送信される前記情報信号は、前記デバイスの前記消費電力量の定義及び前記安定器の前記消費電力量の定義を、互いから切り離して有してもよく、又は前記消費電力量の合計の定義を有してもよい。消費電力量は、通常、特定の時間間隔の間に消費される電力量である。
【００１６】
前記デバイスの実施例は、前記安定器の前記特徴が、安定器のタイプを含み、前記デバイスが、安定器のタイプごとの前記安定器の電力消費データを記憶するためのメモリを更に有することによって規定される。
【００１７】
第１のオプションによれば、前記安定器の前記特徴は、安定器のタイプを含む。その場合には、前記デバイス内のメモリは、予め記憶された、安定器のタイプごとの前記安定器の電力消費データを有する。換言すれば、前記デバイスは、前記安定器のタイプのおかげで、前記電力消費データを探すことができ、前記予め記憶された前記安定器の電力消費データのおかげで、前記安定器の消費電力量を計算することができる。
【００１８】
前記デバイスの実施例は、前記安定器の前記特徴が、前記安定器の電力消費データを含み、前記デバイスが、前記安定器の前記電力消費データを記憶するためのメモリを更に有することによって規定される。
【００１９】
第２のオプションによれば、前記安定器の前記特徴は、前記安定器の電力消費データを含む。その場合には、前記デバイス内のメモリは、受信される前記安定器の前記電力消費データを記憶する。換言すれば、前記デバイスは、受信され、記憶される前記安定器の前記電力消費データのおかげで、前記安定器の消費電力量を計算することができる。
【００２０】
前記デバイスの実施例は、前記デバイスが、前記照明回路の減光レベルを定義するよう構成されている減光信号を受信するための第２受信機を更に有し、前記コントローラが、前記減光信号の受信に応じて、減光目的のために前記照明回路の駆動を調節するよう構成されていることによって規定される。
【００２１】
前記デバイス内の第２受信機は、前記照明回路の減光レベルを定義する減光信号を受信する。前記減光信号は、通常、例えば無線周波数信号又は赤外線信号などの無線信号であるが、他の種類の無線信号を除外しておらず、電気又は光伝導体を介して届く種類の有線信号を除外してはいない。特に減光状況においては、総消費電力量の正確な概況を得ることは重要である。
【００２２】
前記減光信号は、例えば赤外線技術を使用する遠隔制御装置から来るかもしれないが、他の例においては、例えば無線周波数技術を使用する管理システムなどの前記装置から来るかもしれないいずれの場合においても、他の技術は除外されるべきではない。同様に、前記定義信号は、前記装置から来るかもしれないが、他の例においては、前記遠隔制御装置から来るかもしれない。
【００２３】
前記デバイスの実施例は、前記安定器の前記特徴が、安定器のタイプを含み、前記デバイスが、安定器のタイプごと及び減光レベルごとの前記安定器の電力消費データを記憶するためのメモリを更に有することによって規定される。
【００２４】
第３のオプションによれば、前記安定器の前記特徴は、安定器のタイプを含む。その場合には、前記デバイス内のメモリは、予め記憶された、安定器のタイプごと及び減光レベルごとの前記安定器の電力消費データを有する。換言すれば、前記デバイスは、前記安定器のタイプ及び前記減光レベルのおかげで、前記電力消費データを探すことができ、前記予め記憶された、減光レベルごとの前記安定器の電力消費データのおかげで、前記安定器の消費電力量を計算することができる。
【００２５】
前記デバイスの実施例は、前記安定器の前記特徴が、減光レベルごとの前記安定器の電力消費データを含み、前記デバイスが、減光レベルごとの前記安定器の前記電力消費データを記憶するためのメモリを更に有することによって規定される。
【００２６】
第４のオプションによれば、前記安定器の前記特徴は、減光レベルごとの前記安定器の電力消費データを含む。その場合には、前記デバイス内のメモリは、受信される減光レベルごとの前記安定器の前記電力消費データを記憶する。換言すれば、前記デバイスは、受信され、記憶される、減光レベルごとの前記安定器の前記電力消費データのおかげで、前記安定器の消費電力量を計算することができる。
【００２７】
前記デバイスの実施例は、前記デバイスの前記機能が、前記デバイスの駆動機能を更に含み、前記デバイスの前記機能の適応が、前記照明回路を前記安定器の要件データに従って駆動することに対応することによって規定される。
【００２８】
前記デバイスの前記機能は、前記照明回路をどのように駆動すべきかを定義する前記デバイスの駆動機能を含み得る。従って、この場合には、前記デバイスの前記駆動機能は、前記照明回路の駆動を含む。前記デバイスの前記機能の適応は、前記照明回路を前記安定器の（最小限の）要件データに従って駆動することに対応し得る。前記デバイスに前記安定器（の特徴）を知らせていることによって、前記デバイスは、前記照明回路を前記安定器の前記（最小限の）要件データに従って駆動することができる。蛍光灯との組み合わせにおいて用いられるよう設計されている或る安定器は、適切に動作するためには、或る（最小限の）電流振幅信号が前記安定器に流れることを必要とする、又は或る（最小限の）電力量が前記デバイスによって消費されることを必要とする。
【００２９】
前記デバイスの実施例は、前記安定器の前記特徴が、安定器のタイプを含み、前記デバイスが、安定器のタイプごとの前記安定器の前記要件データを記憶するためのメモリを更に有することによって規定される。
【００３０】
第５のオプションによれば、前記安定器の前記特徴は、安定器のタイプを含む。その場合には、前記デバイス内のメモリは、予め記憶された、安定器のタイプごとの前記安定器の要件データを有する。換言すれば、前記デバイスは、前記安定器のタイプのおかげで、前記予め記憶された、安定器のタイプごとの前記安定器の要件データを探すことができ、前記照明回路を適切に駆動することができる。
【００３１】
前記デバイスの実施例は、前記安定器の前記特徴が、前記安定器の前記要件データを含み、前記デバイスが、前記安定器の前記要件データを記憶するためのメモリを更に有することによって規定される。
【００３２】
第６のオプションによれば、前記安定器の前記特徴は、前記安定器の前記要件データを含む。その場合には、前記デバイス内のメモリは、受信される前記安定器の前記要件データを記憶する。換言すれば、前記デバイスは、受信され、記憶される前記安定器の要件データを探し、前記照明回路を適切に駆動することができる。
【００３３】
前記デバイスの実施例は、前記デバイスが、前記照明回路の減光レベルを定義するよう構成されている減光信号を受信するための第２受信機を更に有し、前記コントローラが、前記減光信号の受信に応じて、減光目的のために前記照明回路の駆動を調節するよう構成されていることによって規定される。
【００３４】
前記デバイス内の第２受信機は、前記照明回路の減光レベルを定義する減光信号を受信する。前記減光信号は、通常、例えば無線周波数信号又は赤外線信号などの無線信号であるが、他の種類の無線信号を除外しておらず、電気又は光伝導体を介して届く種類の有線信号を除外してはいない。特に減光状況においては、前記安定器の或る特定の制約を考慮に入れることは重要である。
【００３５】
前記デバイスの実施例は、前記照明回路を前記安定器の前記要件データに従って駆動することが、第１減光レベルを禁止すること及び第２減光レベルを許可することを含むことによって規定される。通常、或る特定の（蛍光）安定器の場合は、前記照明回路の相対的に低い出力強度に対応する第１減光レベルは、禁止されるべきであり、前記照明回路の相対的に高い出力強度に対応する第２減光レベルは、許容され得る。
【００３６】
前記デバイスの実施例は、前記デバイスが、前記照明回路を更に有することによって規定される。前記照明回路は、例えば、どんな種類であれ、どんな組み合わせであれ、１つ以上の発光ダイオードを有する発光ダイオード回路などの非蛍光灯回路を有する。しかしながら、他の種類の照明回路も除外されるべきではない。例えば、前記報告機能は、蛍光灯回路の形態の照明回路を駆動するためのドライバを有するデバイスに有利に導入され得る。
【００３７】
第２の態様によれば、光を生成するためのデバイスを動作させる方法が提供され、前記デバイスは、
−  前記デバイスに給電するよう構成されている給電信号を安定器を介して受信するための入力部と、
−  前記光を生成するための照明回路を駆動するためのドライバとを有し、
前記方法は、
−  少なくとも前記安定器の特徴を定義するよう構成されている定義信号を受信するステップと、
−  前記定義信号の受信に応じて、前記デバイスの、報告機能を含む機能を適応させるステップと、
−  装置に情報信号を送信するステップとを有する。
【００３８】
上で規定されている前記デバイスの各実施例（又は実施例の各部）は、上で規定されている前記デバイスの各他の実施例（又は他の実施例の各部）と組み合わされ得る。上で規定されている前記方法の実施例は、上で規定されている前記デバイスの前記実施例に対応する。
【００３９】
基本的なアイデアは、デバイスの機能を適応させるために、安定器の特徴を定義するよう構成される定義信号が用いられるべきであるというものである。
【００４０】
改善されたデバイスを提供する課題は、解決された。他の利点は、前記デバイスの使用が改善されることができ、前記安定器の使用が改善されることができ、前記安定器と前記デバイスとの組み合わせの使用が改善されることができ、且つ／又は前記安定器と前記デバイスとの間の協働が改善されることができることである。
【００４１】
下記の実施例を参照して、本発明のこれら及び他の態様を説明し、明らかにする。
【図面の簡単な説明】
【００４２】
【図１】デバイスの実施例を示す。
【図２】減光レベルごとの電力消費のグラフを示す。
【発明を実施するための形態】
【００４３】
図１においては、デバイス１の実施例が示されている。デバイス１は、主電源などの示されていない供給源から安定器２を介して給電信号を受信するための入力部１１を有する。給電信号は、デバイス１に給電するよう構成される。安定器２は、磁気安定器若しくは電子安定器、又は任意の他の種類の変換器であり得る。デバイス１は、入力部１１及び照明回路１３に結合される、光を生成するためにこの照明回路１３を駆動するためのドライバ１２を更に有する。照明回路１３は、例えば、通常は蛍光灯回路との組み合わせにおいて用いられるよう設計されている安定器２を維持しながら、蛍光灯回路に取って代わるための非蛍光灯回路であり得る。好ましくは、照明回路１３は、発光ダイオード回路を含み得る。ここでは、照明回路１３は、デバイス１内に示されているが、他の例においては、照明回路１３は、デバイス１の外部に配置されてもよい。デバイス１は、例えばビルのための管理システムなどの装置３から無線リンク又は有線リンクを介して定義信号を受信するための第１受信機も有する。定義信号は、少なくとも安定器２の特徴を定義するよう構成される。デバイス１は、ドライバ１２及び第１受信機１４に結合される、定義信号の受信に応じてデバイス１の機能を適応させるためのコントローラ１５を更に有する。
【００４４】
デバイス１のこの適応可能な機能は、例えば、報告機能を含むことができ、それによって、情報信号が装置３に送信される。それに対して、デバイス１は、コントローラ１５に結合される、装置３に情報信号を送信するための送信機１６を更に含み得る。デバイス１の機能の適応は、情報信号の適応を有する。適応された情報信号は、別々に又は組み合わせて、デバイス１の消費電力量を定義すると共に、安定器２の消費電力量を更に定義する。
【００４５】
定義信号によって定義されるような安定器２の特徴は、安定器２のタイプを有してもよく、デバイス１は、コントローラ１５に結合される、安定器２のタイプごとの安定器２の電力消費データを記憶するためのメモリ１７を更に有してもよい。この場合には、安定器２の電力消費データは、予め、例えば、製造中又は設置中に、安定器２のタイプごとに、メモリ１７に記憶される。デバイス１に定義信号を介して安定器２の特徴を供給していることによって、デバイス１は、そのメモリ１７において、安定器２の電力消費データを探し、安定器２の消費電力量を計算することができる。
【００４６】
他の例においては、安定器２の特徴は、安定器２の電力消費データを有してもよく、デバイス１は、コントローラ１５に結合される、受信した安定器２の電力消費データを記憶するためのメモリ１７を更に有してもよい。この場合には、安定器２の電力消費データは、例えば、設置中又はその後に、定義信号を介してメモリ１７にダウンロードされる。デバイス１に定義信号を介して安定器２の電力消費データを供給していることによって、デバイス１は、そのメモリ１７において、安定器２の電力消費データを探し、安定器２の消費電力量を計算することができる。
【００４７】
結果として、デバイス１から装置３に送信される情報信号は、デバイス１の消費電力量及び安定器２の消費電力量を、別々の量の形態又はこれらの量の合計の形態で定義する。このように、装置３は、消費電力量のより正確な概況を得ることができ、これは、大きな技術的利点である。
【００４８】
デバイス１は、減光可能なデバイスであってもよく、コントローラ１５に結合される、遠隔制御装置４から減光信号を受信するための第２受信機１８を更に有してもよい。減光信号は、照明回路１３の減光レベルを定義するよう構成され、コントローラ１５は、減光信号の受信に応じて、照明回路１３の前記減光を可能にするようドライバ１２の制御を調節するよう構成され得る。その場合には、安定器２の特徴は、安定器２のタイプを有するかもしれず、それによって、メモリ１７は、安定器２のタイプごと及び減光レベルごとの安定器２の電力消費データを記憶するかもしれない。さもなければ、安定器２の特徴は、減光レベルごとの安定器２の電力消費データを有するかもしれず、それによって、メモリ１７は、減光レベルごとの安定器２の電力消費データを記憶するかもしれない。特に減光状況においては、総消費電力量の正確な概況を得ることは重要である。
【００４９】
図２においては、安定器２のための減光レベルごとの電力消費のグラフ（左側のグラフ、垂直軸：電力消費、水平軸：減光レベル）、及びデバイス１のための減光レベルごとの電力消費のグラフ（右側のグラフ、垂直軸：電力消費、水平軸：減光レベル）が示されている。右側のグラフは、例えば、メモリ１７に予め記憶されるような、又はオンザフライで計算されるような、デバイス１の電力消費データに対応し得る。左側のグラフは、全て図１について上で既に既述したように、例えば、メモリ１７に予め記憶されるような、又はメモリ１７にダウンロードされるような、安定器２の電力消費データに対応し得る。
【００５０】
ほんの一例として、デバイス１が、２４時間に１回、安定器２及びデバイス１の総電力消費量を報告し、デバイス１が、最後の２４時間中の、８時間の間、１００％の強度で光を生成し、８時間の間、５０％の強度で光を生成し、８時間の間、オフに切り替えられていたと記録している場合には、デバイス１は、安定器２及びデバイス１の総電力消費量を計算し、報告することができる。
【００５１】
デバイス１の適応可能な機能は、代わりに及び／又は加えて、例えば、デバイス１の駆動機能を有してもよい。デバイス１の機能の適応は、安定器２の（最小限の）要件データに従って照明回路１３を駆動することに対応する。デバイス１の駆動機能は、照明回路１３をどのように駆動すべきかを定義する。デバイス１に安定器２（の特徴）を知らせていることによって、デバイス１は、安定器２の（最小限の）要件データに従って照明回路１３を駆動することができる。蛍光灯回路との組み合わせにおいて用いられるよう設計されている或る安定器２は、適切に動作するためには、或る（最小限の）電流振幅信号が安定器２に流れることを必要とする、又は或る（最小限の）電力量がデバイス１によって消費されることを必要とする。
【００５２】
定義信号によって定義されるような安定器２の特徴は、安定器２のタイプを有してもよく、デバイス１は、コントローラ１５に結合される、安定器２のタイプごとの安定器２の要件データを記憶するためのメモリ１７を更に有してもよい。この場合には、安定器２の要件データは、予め、例えば、製造中又は設置中に、安定器２のタイプごとに、メモリ１７に記憶される。デバイス１に定義信号を介して安定器２の特徴を供給していることによって、デバイス１は、そのメモリ１７において、安定器２の要件データを探し、照明回路１３を適切に駆動するためにドライバ１２を制御することができる。
【００５３】
他の例においては、安定器２の特徴は、安定器２の要件データを有してもよく、デバイス１は、コントローラ１５に結合される、受信した安定器２の要件データを記憶するためのメモリ１７を更に有してもよい。この場合には、安定器２の要件データは、例えば、設置中又はその後に、定義信号を介してメモリ１７にダウンロードされる。デバイス１に定義信号を介して安定器２の要件データを供給していることによって、デバイス１は、そのメモリ１７において、安定器２の要件データを探し、照明回路１３を適切に駆動するためにドライバ１２を制御することができる。
【００５４】
この場合もまた、デバイス１は、減光可能なデバイスであってもよく、コントローラ１５に結合される、減光信号を受信するための第２受信機１８を更に有してもよい。減光信号は、照明回路１３の減光レベルを定義するよう構成され、コントローラ１５は、減光信号の受信に応じて、照明回路１３の前記減光を可能にするようドライバ１２の制御を調節するよう構成され得る。特に減光状況においては、図２において示されており、図２に関して記述されているような、安定器２の或る特定の制約を考慮に入れることは重要である。
【００５５】
図２の右側のグラフにおいて、照明回路１３の相対的に低い出力強度に対応する第１減光レベルＤ１においては、デバイス１の電力消費は、相対的に少ない。右側のグラフにおいて、照明回路１３の相対的に高い出力強度に対応する第２減光レベルＤ２においては、デバイス１の電力消費は、相対的に多い。左側のグラフにおいて、照明回路１３の相対的に低い出力強度に対応する第１減光レベルＤ１においては、安定器２の電力消費は、ゼロである。これは、この第１減光レベルＤ１においては安定器２が適切に動作していないことを示すものである。左側のグラフにおいて、照明回路１３の相対的に高い出力強度に対応する第２減光レベルＤ２においては、安定器２の電力消費は、相対的に多い。従って、この第２減光レベルＤ２においては、安定器２は適切に動作している。
【００５６】
安定器２の要件データに従って照明回路１３を駆動することは、第１減光レベルＤ１を禁止すること、及び第２減光レベルＤ２を許可することを含み得る。コントローラ１５は、第１減光レベルＤ１が、禁止され、例えば、依然として許可されている他の減光レベルに置き換えられ、第２減光レベルＤ２が許可されるように、ドライバ１２を制御することができる。このように、安定器２に関する問題が回避され、これは、大きな技術的利点である。
【００５７】
先の例においては、要件データは、電力消費データから導き出されるが、他の例においては、要件データは、如何なる電力消費データとも無関係に、供給、記憶及び／又は使用されてもよい。
【００５８】
一方では、装置３と遠隔制御装置４との間のリンク、他方では、第１受信機１４と送信機１６と第２受信機１８との間のリンクは、各々、任意の種類の無線リンク及び／又は有線リンクであり得る。装置３は、第２受信機１８と通信することができてもよく、且つ／又は遠隔制御装置４に取って代わってもよく、遠隔制御装置４は、第１受信機１４及び／若しくは送信機１６と通信することができてもよく、且つ／又は装置３に取って代わってもよい。装置３及び遠隔制御装置４は、インターネットと通信することができてもよく、１つのエンティティに統合されてもよい。第１受信機１４及び送信機１６は、送受信機に統合されてもよく、第１受信機１４及び第２受信機１８の両方が、１つの受信機に統合されてもよい。
【００５９】
従って、デバイス１は、少なくとも安定器２の特徴を定義するよう構成されている定義信号を受信するための第１受信機１４を有し、デバイス１は、定義信号の受信に応じてデバイス１の機能を適応させるためのコントローラ１５を有する。実施例の第１グループによれば、情報信号が装置３に送信され、デバイス１の機能の適応は、情報信号の適応を有し、適応された情報信号は、別々に又は組み合わせて、デバイス１の消費電力量を定義する共に、安定器２の消費電力量を定義する。実施例の第２グループによれば、デバイス１の機能の適応は、安定器２の要件データに従って照明回路１３を駆動することに対応する。実施例の両方のグループは、定義信号は１つより多くの目的のために用いられ得るという事実により、有利に組み合わされ得る。
【００６０】
適応された情報信号は、消費電力量を絶対的に又は相対的に定義し得る。安定器２の特徴は、安定器２のタイプを絶対的に又は相対的に定義し得る。安定器２のタイプは、コード又はリンク又は識別子であり得る。安定器２の特徴は、安定器２の電力消費データを絶対的に又は相対的に含み得る。図２において、軸は、その値を絶対的に又は相対的に定義し得る。図２において開示されているデータは、例えば、１つ以上のテーブルにおいて、アナログ又はデジタルの方法で、呈示され得る。報告機能は、好ましくは、減光状況において導入されるが、非減光状況において、例えば、安定器の消費電力量が温度又は時間に依存する場合に、有利に導入され得る。駆動機能は、好ましくは、減光状況において導入されるが、非減光状況において、例えば、デバイス及び安定器が、組み合わせて用いられるのに適していない場合に組み合わせて用いられることを回避するために、有利に導入され得る。第１要素及び第２要素は、第３要素を介して間接的に結合されてもよく、第３要素が間にないようにして直接結合されてもよい。
【００６１】
要約すると、光を生成するためのデバイス１は、非蛍光灯に置き換えられるべき蛍光灯用に設計されている安定器２を介して給電信号を受信するための入力部１１と、照明回路１３を駆動するためのドライバ１２と、前記安定器２の特徴を定義する定義信号を受信するための第１受信機１４と、前記定義信号の受信に応じて前記デバイス１の機能を適応させるためのコントローラ１５とを有する。前記機能は、報告機能を有してもよく、それによって、前記デバイス１により装置３に前記デバイス１の消費電力量及び前記安定器２の消費電力量について知らされる。その場合、例えば減光状況において、総消費電力量の概観が実現される。前記機能は、駆動機能を有してもよく、それによって、前記照明回路１３は、前記安定器２の要件データに従って駆動される。その場合、例えば減光状況において、第１減光レベルは禁止されることができ、第２減光レベルは許可されることができる。
【００６２】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
0006758301.tif 000002
【図２】
0006758301.tif 000003